(57)【特許請求の範囲】
【請求項１】
放射線を放射する放射線放射管と、
前記放射線放射管が放射する放射線の線量を検出する第１の放射線検出手段と、
前記放射線放射管が放射する放射線を画像化するための第２の放射線検出手段と、
前記第１の放射線検出手段での空パルスの検出値に基づいて、撮影モードへの切り替えを予測するタイミング予測手段と、
前記タイミング予測手段の予測結果に基づいて前記第２の放射線検出手段の駆動制御を行う駆動制御手段と、
を有することを特徴とする放射線撮影装置。
【請求項２】
前記第１の放射線検出手段は、入射する放射線パルス周波数の２倍以上の周波数で駆動してデータ収集を行うことを特徴とする請求項１に記載の放射線撮影装置。
【請求項３】
前記駆動制御手段は、前記タイミング予測手段の予測出力に基づいて前記第２の放射線検出手段のモードを切替えることを特徴とする請求項１に記載の放射線撮影装置。
【請求項４】
前記駆動制御手段が変更するモードは、前記第２の放射線検出手段のゲインであることを特徴とする請求項３に記載の放射線撮影装置。
【請求項５】
前記駆動制御手段が変更するモードは、前記第２の放射線検出手段のスタンバイ状態あるいはレディ状態であることを特徴とする請求項３に記載の放射線撮影装置。
【請求項６】
前記駆動制御手段は、前記第１の放射線検出手段において放射線が検出されるまで、前記第２の放射線検出手段をスタンバイ状態で待機させ、前記第１の放射線検出手段において放射線が検出された後に前記第２の放射線検出手段をレディ状態に変更することを特徴とする請求項５に記載の放射線撮影装置。
【請求項７】
前記第１の放射線検出手段は、前記第２の放射線検出手段の基板から透過してくる可視光をも検知することを特徴とする請求項１〜６の何れか１項に記載の放射線撮影装置。
【請求項８】
前記第１の放射線検出手段は、前記第２の放射線検出手段の基板から透過してくる放射線を検知する放射線センサであることを特徴とする請求項１〜６の何れか１項に記載の放射線撮影装置。
【請求項９】
第１の放射線検出手段と第２の放射線検出手段とを有する放射線撮影装置を用いた放射線撮影方法において、
前記第１の放射線検出手段での空パルスの検出値に基づいて、撮影モードへの切り替えを予測するタイミング予測手段が、前記第１の放射線検出手段での空パルスの検出値に基づいて撮影モードへの切り替えを予測して放射線パルスタイミングを出力する工程と、
駆動制御手段が、前記出力した放射線パルスタイミングに基づいて前記第２の放射線検出手段の駆動制御を行う工程と、
を有することを特徴とする放射線撮影方法。
【請求項１０】
第１の放射線検出手段と第２の放射線検出手段とを有する放射線撮影装置を用いた放射線撮影方法を実行させるための各工程をコンピュータに実行させるためのコンピュータプログラムであって、
前記第１の放射線検出手段での空パルスの検出値に基づいて、撮影モードへの切り替えを予測するタイミング予測手段が、前記第１の放射線検出手段での空パルスの検出値に基づいて撮影モードへの切り替えを予測して放射線パルスタイミングを出力する工程と、
駆動制御手段が、前記出力した放射線パルスタイミングに基づいて前記第２の放射線検出手段の駆動制御を行う工程とをコンピュータに実行させることを特徴とするコンピュータプログラム。
【発明の詳細な説明】
【０００１】
【発明の属する技術分野】
本発明は放射線撮影装置、放射線撮影方法及びコンピュータプログラムに関し、特に、可搬性を有する放射線画像撮影カセッテ（以下、単に電子カセッテ）に用いて好適なものである。
【０００２】
【従来の技術】
従来から、検査対象物に放射線を照射し、対称物を透過した放射線の強度分布を検出して対象物の放射線画像を得るＸ線撮影装置が、工業用の非破壊検査や医療診断の場で広く一般に利用されている。
【０００３】
このような撮影を行う場合の一般的な方法としては、Ｘ線に対するフィルム／スクリーン方が挙げられる。これは、感光性フィルムと、Ｘ線に対して感度を有している蛍光体とを組み合わせて撮影する方法である。
【０００４】
上記撮影方法は、Ｘ線を照射すると、発光する希土類の蛍光体をシート状にしたものを感光性フィルムの両面に密着して保持し、被写体を透過したＸ線を蛍光体で可視光に変換し、感光性フィルムで光を捉える。そして、フィルム上に形成された潜像を化学処理で現像することで可視化することができる。
【０００５】
一方、近年のデジタル技術の進歩により、放射線画像を電気信号に変換し、この電気信号を画像処理した後に、可視画像としてＣＲＴ等に再生することにより高画質の放射線画像を得る方式が求められてきている。このような放射線画像を電気信号に変換する方法としては、放射線の透過画像を蛍光体中に潜像としていったん蓄積して、後にレーザー光等の励起光を照射することで潜像を光電的に読み出し可視像として出力する放射線画像記録再生システムが提案されている（例えば、特開昭５５-１２４２９号、特開昭５６-１１３９５号など）。
【０００６】
また、近年の半導体プロセス技術の進歩に伴い、半導体センサを使用して同様に放射線画像を撮影する装置が開発されている。これらのシステムは、従来の感光性フィルムを用いる放射線写真システムと比較して非常に広いダイナミックレンジを有しており、放射線の露光量の変動に影響されない放射線画像を得ることができる実利的な利点を有している。同時に、従来の感光性フィルム方式と異なり化学処理が要らず、即時的に出力画像を得ることができる利点もある。
【０００７】
図４は、このような放射線画像撮影装置を用いたシステムの一例を示す概念図である。
図４において、１０３はＸ線検出センサ１０４を内蔵したＸ線画像撮影装置である。Ｘ線発生装置１０１によって発せられたＸ線を被写体１０２に照射し、被写体１０２を透過したＸ線を二次元の格子状に配列した光電変換素子によって検出する。この検出手段から出力される画像信号を画像処理手段１０５でデジタル画像処理し、モニタ１０６に前記被写体のＸ線画像を表示する。
【０００８】
従来、この種の撮像装置は、放射線室に設置され利用されてきた。しかし、近年、より迅速かつ広範囲な部位の撮影を可能にするため、薄型で軽量な可搬型の撮影装置（電子カセッテとも言う）が求められるようになってきた。
【０００９】
図３に示す側面断面図に基づき概略の構成を説明すると、このようなＸ線撮影などに用いる電子カセッテ５１は、Ｘ線を可視光に変換する蛍光体５１ａと、この可視光を電気信号に変換する格子状に配列された光電変換素子５１ｂと、この光電変換素子をその上に形成した基板５１ｃと、この基板５１ｃを支持する基台５２と、光電変換された電気信号を処理する電子部品を搭載した回路基板５３及び配線５４と、これらを収納する筐体５５と前記光電変換素子５１ｂと回路基板５３に電源を供給する電源回路６０と電源用配線６１などから構成されている。
【００１０】
電源回路６０の具体的な構成としては、バッテリとＤＣ／ＤＣ電源回路からなる構成、あるいは図示していない電源ケーブルで所定電圧を外部から供給してＤＣ／ＤＣ電源で各種電圧を生成する構成などがある。
【００１１】
【発明が解決しようとする課題】
より迅速かつ広範囲な部位の撮影を可能にするため、薄型で軽量な可搬型の撮影装置、すなわち、電子カセッテが求められるようになっているが、Ｘ線の曝射とＸ線センサ駆動のタイミング（同期）をとることが必要になる。
【００１２】
同期タイミングに関する技術は、特開平１１−１５１２３３号に開示された技術がある。上記特開平１１−１５１２３３号では、被写体に放射線を照射して画像を得る放射線撮像装置において、行列状に配置された二次元撮像素子からなる放射線撮像手段と、放射線照射状態を検出する少なくとも一つ以上の放射線検出手段と、前記検出された放射線照射状態を判断する放射線照射タイミング判断手段と、前記判断により前記放射線撮像手段の動作状態を変更する駆動制御手段と、を具備することを特徴とする放射線撮像装置を説明している。
【００１３】
図５に、特開平１１−１５１２３３号を引用する。図５の１５０〜１５８において、１５４は駆動制御手段がリフレッシュ制御回路ＲＦを駆動する信号、１５８は放射線撮像手段２２の動作状態を示している。
【００１４】
なお、図５の動作状態１５８において、アイドルとは、定期的にリフレッシュ動作を行っている状態であり、撮像準備状態とは、上述したリフレッシュ動作と、空読み動作を行っている状態及びその後放射線照射が行われるまでの状態を言い、撮像状態とは上述した放射線照射を伴う光電変換動作を行っている状態を言い、画像データ出力可能状態とは、放射線照射終了後の光電変換動作状態及び上述の画像データ出力動作状態を示す。
【００１５】
放射線制御手段は、放射線照射ボタンからの信号１５０を検知すると、駆動制御手段に撮像要求信号１５１を送信する。放射線制御手段は、撮像要求信号１５１を受信すると、放射線撮像手段をリフレッシュ動作させ、既定の回数の空読み動作をさせた後に、放射線撮像手段を撮像動作に移行させると同時に放射線制御手段に撮像準備完了信号１５５を送信する。
【００１６】
放射線制御手段は、駆動制御手段からの撮像準備完了信号１５５を検知すると、放射線源より放射線を放射する。図５において、１５３は放射線源より放射される放射線の出力状態を示している。
【００１７】
放射線制御手段は、Ｘ線を適量で遮断するためのフォトタイマからの出力の積算値が閾値（既定の累積放射線照射量）に達する、あるいは放射線制御手段にあらかじめ設定された放射線照射時間が経過すると、放射線の照射を終了する。
【００１８】
この間、放射線検出手段は、放射線を監視しており、照射放射線量に対応した出力を放射線照射タイミング判断手段にリアルタイムで出力する。
【００１９】
放射線照射タイミング判断手段は、放射線検出手段２３からの信号が既定の閾値を下回ると、放射線の照射が終了したものと判断し、放射線照射終了検知信号１５７を駆動制御手段に対して出力する。
【００２０】
駆動制御手段は、放射線照射終了検知信号１５７を受信すると、放射線撮像手段の撮像動作を終了し、画像データ出力可能状態へ移行させる。ここで、画像データ出力可能状態としたのは、必ずしも放射線照射の終了直後に画像データ出力を行う必要は無いからであるが、暗電流の蓄積による画像出力のＳ／Ｎ悪化を考慮するならば、放射線照射終了直後に画像データ出力を行うことが望ましい。
【００２１】
以上説明したように、放射線撮像検出器とＸ線発生装置との同期は、有線、無線に係わらず調歩的にハンドシェイクが行われている。
【００２２】
特開平９−７３１４４号では、上記の特開平１１−１５１２３３号で開示されているＸ線検出器、あるいはフォトタイマの構成方法が開示されている。具体的には、放射線源から発せられ対象物を透過した放射線の強度分布を検出する放射線検出装置であって、放射線の強度分布に応じて発光するシンチレータと、上記シンチレータの後方に配した透明な基板上の前面に二次元状に固体光検出素子を形成した光像検出手段と、該光像検出手段の後方に配し前記シンチレータからの発光光のうち前記基板を透過した光量を検出する光量モニタ手段とを有することを特徴とする放射線検出装置を開示している。
【００２３】
図６は、特開平９−７３１４４号の放射線検出装置３による放射線撮影状態の構成を示す図である。散乱性を削減させるための、グリッド４を透過してＸ線はシンチレータ５に到達する。
【００２４】
光像検出部６（撮像用検出器）はシンチレータ５と接合され、透明なガラス基板８の前面８ａにフォトリソグラフィ法によって二次元状に多数個の固体光検出素子が形成されている。
【００２５】
また、光量モニタ部７（特開平１１−１５１２３３号で定義しているＸ線検出器あるいはフォトタイマ）は、ガラス基板８の後面８ｂに固体光検出素子がフォトリソグラフィ法により形成されていて、シンチレータ５によって放射線Ｘが変換された光のうち、ガラス基板８を透過してガラス基板８の後面８ｂに達する光を検出するようになっている。
【００２６】
以上、Ｘ線装置と撮像検出器の同期方法と、同期をとるためのＸ線検出器の配置、構成に関する従来例を示した。しかし、カセッテなどのモバイル環境を考えると、使用の際にはＸ線発生装置を特定することができない問題があった。
【００２７】
つまり、電子カセッテは、複数個、複数種類のＸ線装置との組み合わせて使用され、同期の方法を特定することができない。極端な場合には、同期をとるための回路、端子が準備されていない場合もある。よって、Ｘ線装置とセンサとが調歩（ハンドシェイク）をすることなく透視あるいは撮影ができる技術が必要であった。
【００２８】
本発明は上述の問題点にかんがみてなされたもので、画像センサの透視、撮影のタイミングを発生させて、同期接続をすることなく適切な放射線撮影を行うことができるようにすることを目的とする。
【００２９】
【課題を解決するための手段】
本発明の放射線撮影装置は、放射線を放射する放射線放射管と、前記放射線放射管が放射する放射線の線量を検出する第１の放射線検出手段と、前記放射線放射管が放射する放射線を画像化するための第２の放射線検出手段と、前記第１の放射線検出手段での空パルスの検出値に基づいて、撮影モードへの切り替えを予測するタイミング予測手段と、前記タイミング予測手段の予測結果に基づいて前記第２の放射線検出手段の駆動制御を行う駆動制御手段とを有することを特徴とする。
【００３０】
本発明の放射線撮影方法は、第１の放射線検出手段と第２の放射線検出手段とを有する放射線撮影装置を用いた放射線撮影方法において、前記第１の放射線検出手段での空パルスの検出値に基づいて、撮影モードへの切り替えを予測するタイミング予測手段が、前記第１の放射線検出手段での空パルスの検出値に基づいて撮影モードへの切り替えを予測して放射線パルスタイミングを出力する工程と、駆動制御手段が、前記出力した放射線パルスタイミングに基づいて前記第２の放射線検出手段の駆動制御を行う工程と、
を有することを特徴とする。
【００３１】
本発明のコンピュータプログラムは、第１の放射線検出手段と第２の放射線検出手段とを有する放射線撮影装置を用いた放射線撮影方法を実行させるための各工程をコンピュータに実行させるためのコンピュータプログラムであって、前記第１の放射線検出手段での空パルスの検出値に基づいて、撮影モードへの切り替えを予測するタイミング予測手段が、前記第１の放射線検出手段での空パルスの検出値に基づいて撮影モードへの切り替えを予測して放射線パルスタイミングを出力する工程と、駆動制御手段が、前記出力した放射線パルスタイミングに基づいて前記第２の放射線検出手段の駆動制御を行う工程とをコンピュータに実行させることを特徴とする。
【００３３】
【発明の実施の形態】
次に、添付図面を参照しながら本発明の放射線撮影装置、放射線撮影方法、コンピュータプログラム及びコンピュータ読み取り可能な記録媒体の実施の形態について説明する。
以下では、放射線としてＸ線の場合について説明しているが、例えば、α線、β線、γ線であっても良い。
図１に、本発明の実施の形態の構成例を示す。Ｘ線放射管１１から曝射されたＸ線は図示しない被写体を透過して、第２の検出器１２（以後、Ｘ線撮像検出器）に到達して画像化が行われる。そして、前記Ｘ線撮像検出器１２を透過したＸ線が、第１の検出器１３（以後、単にＸ線検出器、特開平１１−１５１２３３号で定義しているＸ線検出器あるいはフォトタイマ）に到達してＸ線の発生、停止が検出される。
【００３４】
ここで、Ｘ線検出器１３は、特開平９−７３１４４号で開示されているように、Ｘ線撮像検出器１２のガラス基台を透過してきた、可視光を検出する検出器で構成されても良いし、第２の検出器１２と同一の面内に半導体形成過程で形成されてもよい。同一面内に形成される場合は、第２の検出器１２の画素間に埋め込まれるようにストライプ状に形成され、Ｘ線検出器１３は数本のストライプ状センサで形成されることになる。ストライプ状のセンサ構造に関しては、特願2002-56127号に詳しく開示される。また、Ｘ線検出器１３は、１チャンネルで構成されても良いし、３チャンネルなどの複数の検出器で構成されてもよい。複数で構成される場合は、図示しない撮影部位入力手段に対応して、使用するチャンネルを自動選択することが可能である。
【００３５】
作業者が患者の病室に到着する時点、あるいは患者の撮影部位に対して電子カセッテの設置が完了した時点で、撮影準備状態になるとＸ線検出器１３に電力が供給されて駆動が開始される。
【００３６】
図２の２０〜２５は、図１の各部の動作タイミングを説明する図であり、２０はＸ線パルス、２１は第１の読込みタイミング、２２は予測出力、２３は第２の読出タイミング、２４は第２のゲイン、２５は第２の電源のタイミングである。図２の２１においては、駆動が開始されて、データの取り込みが行われるタイミングを第１の読込タイミングの矢印で表している。
【００３７】
患者に対する検査は、透視と撮影に分類することが可能である。透視は、少ない線量で動画像における観察に使用され、撮影前の患者の位置決めや患者の動的な観察に使用される。他方、撮影は比較的大きな線量で行われ、収集される画素密度も細かいモードで収集される。
【００３８】
図２に示した例においては、透視に続いて撮影が行われる場合を示しているが、透視のみを行ってもよい。ただし、本実施の形態においては透視を行わずに単発的な撮影用Ｘ線曝射には対応することはできない。しかし、透視撮影は、一般的に撮影線量の１００分の１程度での線量でよく、本実施の形態によれば２〜３発程度の透視用パルスＸ線曝射で、以後は同期を図ることが可能である。したがって、撮影前に透視用のパルスＸ線曝射を行ったとしても、数％の被曝線量アップにしかならないので、被曝が問題になる程度ではない。
【００３９】
図２に示した例において、透視のＸ線パルス曝射が開始されると、Ｘ線検出器１３によって曝射を検出することが可能になる。すなわち、Ｘ線検出器１３の駆動周期はＸ線のパルス間隔よりも十分早い周期でサンプリングされているので、曝射されるＸ線パルスの周期や波形がほぼ同様であれば、次のＸ線パルスのタイミングを予測することが可能になる。
【００４０】
図２に示す例では、２回目までの曝射パルスによって３回目の曝射パルスが予測され、以後、順次予測が行われて予測出力結果が得られる。予測出力を正確にするためには、Ｘ線のパルスが１ｍｓオーダであるとすれば、Ｘ線検出器１３の駆動周期は１μｓオーダ程度であることが望ましいが、少なくとも入力パルス周波数の２倍の周波数で駆動（サンプリング）すればよい。
【００４１】
Ｘ線パルスを予測する回路、すなわちタイミング予測回路１４の構成は、サンプリングされたＸ線パルス波形の、オン時間とオフ時間を計算して、このオン時間とオフ時間をコピーすればよい。予測精度をあげるには、順次計測されるパルスのオン時間とオフ時間の平均をとって、予測をすることも考えられるし、最近のオン時間とオフ時間のウェイトを重くして加重平均を計算することもできる。
【００４２】
タイミング予測回路１４からの予測出力結果から、駆動タイミング生成回路１５によりＸ線撮像検出器１２の駆動タイミングが生成される。図中のＸ線撮像検出器１２の駆動タイミングは便宜的にデータの読出しタイミングを示しているが、この読出しタイミングによりＸ線撮像検出器１２の積分時間が決まる。
【００４３】
駆動タイミング生成回路１５は、タイミング予測回路１４の曝射区間を積分時間にして、それ以外を読み出し区間に設定してもよい。また、予測パルスを作る際にサンプリング分解能による遅延時間を考慮して、位相を変える（早める）ことも可能である。
【００４４】
図２では、Ｘ線パルスの曝射が予想されるタイミングで積分が行われて、Ｘ線パルスの曝射がないと予想される期間で読出しが行われる。図２の２３で示している読出し時間は、センサの個数とＡＤ変換周期とＡＤ変換器の個数で決定されるが、一般的に透視のＸ線パルスの周期は３０パルス／秒であるので、３０パルス／秒を満足できるように設計されている。
【００４５】
上記のようにＸ線撮像検出器１２が駆動されてＸ線透視画像が撮影される。次に、透視から撮影への移行タイミングについて開示する。透視から撮影への移行は、事前の了解が必要である。一般的なＸ線装置を考えるパルスＸ線のモードから撮影用の大きな線量のパルスを出すモードへの移行には、移行時間を要する。本実施の形態において、移行時間は２パルス分として、Ｘ線装置と電子カセッテの間で規約が存在するものとする。
【００４６】
図２のＸ線パルスにおいて、５回目のパルスは破線で表示されているが、これはＸ線パルスが曝射されなかったことを示している。この空パルスをＸ線検出器１３の出力を介してタイミング予測回路１４が検知して、撮影モードに切り替わったことを予測する。この予測結果をもとに、駆動制御回路１６によってＸ線撮像検出器１２器のゲインを切替える。
【００４７】
一般的には、透視から撮影においては、ゲインは１０分の１から２０分の１にする必要がある。撮影のＸ線パルスのあとは、通常のパルス透視撮影に移行するので、撮影Ｘ線パルス後のゲインは透視レベルに戻される。
【００４８】
以上では、予測回路によるＸ線撮像検出器１２の駆動タイミングを説明したが、タイミング予測回路１４によりＸ線撮像装置の電源モードを制御することも可能である。図２に示している待機状態とは、Ｘ線撮像装置の消費電力が小さい状態と考えることができる。Ｘ線撮像装置の電源を視点として構成で分割すると、センサ部分と読出し回路部分に分けることができるが、消費電力が小さい状態とは、少なくとも読出し回路の電源をオフにしておくことである。
【００４９】
読出し回路の電源をオフにするのは、一般に、読出し回路のアンプの消費電力は大きいからである。同様に、センサ部分もオフにしておくことも可能であるが、センサ部分は電源投入直後では安定しないセンサも考えられるので、その場合は、Ｘ線検出器１３がオンされたと同時にＸ線撮像装置のセンサ部分の電源はオンにしておくことが望ましい。そして、センサ部、読出し回路部の両方がオンの状態をレディ状態と定義して、Ｘ線検出器１３でＸ線パルスが検出された以降はＸ線撮像検出器１２をレディ状態に移行する。
【００５０】
（本発明の他の実施の形態）
本発明は複数の機器から構成されるシステムに適用しても１つの機器からなる装置に適用しても良い。
【００５１】
また、上述した実施の形態の機能を実現するように各種のデバイスを動作させるように、上記各種デバイスと接続された装置あるいはシステム内のコンピュータに対し、記憶媒体から、またはインターネット等の伝送媒体を介して上記実施の形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００５２】
また、この場合、上記ソフトウェアのプログラムコード自体が上述した実施の形態の機能を実現することになり、そのプログラムコード自体、およびそのプログラムコードをコンピュータに供給するための手段、例えばかかるプログラムコードを格納した記憶媒体は本発明を構成する。かかるプログラムコードを記憶する記憶媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００５３】
また、コンピュータが供給されたプログラムコードを実行することにより、上述の実施の形態で説明した機能が実現されるだけでなく、そのプログラムコードがコンピュータにおいて稼働しているＯＳ（オペレーティングシステム）あるいは他のアプリケーションソフト等の共同して上述の実施の形態で示した機能が実現される場合にもかかるプログラムコードは本発明の実施の形態に含まれることは言うまでもない。
【００５４】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施の形態の機能が実現される場合にも本発明に含まれる。
【００５５】
【発明の効果】
以上説明してきたように、本発明によれば、撮影モードへの切り替えを予測するようにしたので、画像センサの透視、撮影のタイミングを確実に発生させることができ、有線あるいは無線によるオンラインによる同期接続をすることなく適切な撮影を行うようにすることができる。
【００５６】
また、本発明の他の特徴によれば、電力消費の小さい放射線検出器をオンにしておき、この放射線検出器の出力結果により、消費電力のより大きい放射線撮像検出器の電源、読出しモードを制御することが可能となり、バッテリの消費を減らすようにすることができるとともに、不必要な発熱を減らすようにすることができる。
【図面の簡単な説明】
【図１】本発明の実施の形態を示し、電子カセッテの実施の形態の同期タイミングを示す図である。
【図２】実施の形態の各部の動作タイミングを説明する図である。
【図３】電子カセッテの構成例を説明する側面断面図である。
【図４】システムの概念を示す図である。
【図５】従来例の同期タイミングを示す図である。
【図６】従来例を示し、Ｘ線検出器とＸ線撮像検出器の構成例を示す図である。
【符号の説明】
１１  Ｘ線放射管
１２  Ｘ線撮像検出器
１３  Ｘ線検出器
１４  タイミング予測回路
１５  駆動タイミング生成回路
１６  駆動制御回路
【図１】
0004164282.tif 000002
【図２】
0004164282.tif 000003
【図３】
0004164282.tif 000004
【図４】
0004164282.tif 000005
【図５】
0004164282.tif 000006
【図６】
0004164282.tif 000007